(57)【要約】本発明により、植物由来原料から酸性キシロオリゴ糖を得る第１工程と上記酸性キシロオリゴ糖からポリ硫酸ペントサンを得る第２工程とを含み、第１工程は上記植物由来原料の解重合工程を含み、第２工程は上記酸性キシロオリゴ糖の硫酸化工程を含み、上記解重合工程より後の工程としてｐＨ１１以上とするために塩基を添加する脱アセチル化工程を含むポリ硫酸ペントサンの製造方法が提供される。本発明の製造方法により、低アセチル基含量のポリ硫酸ペントサンを得ることができる。また、本発明の製造方法により、ポリ硫酸ペントサンを安価で効率的よく高収率で得ることができる。【特許請求の範囲】
【請求項１】
植物由来原料から酸性キシロオリゴ糖を得る第１工程と前記酸性キシロオリゴ糖からポリ硫酸ペントサンを得る第２工程とを含み、
第１工程は前記植物由来原料の解重合工程を含み、
第２工程は前記酸性キシロオリゴ糖の硫酸化工程を含み、
前記解重合工程より後の工程としてｐＨ１１以上とするために塩基を添加する脱アセチル化工程を含む、ポリ硫酸ペントサンの製造方法。
【請求項２】
前記脱アセチル化工程において、前記酸性キシロオリゴ糖を含む溶液をｐＨ１１以上で１時間以上攪拌する請求項１に記載のポリ硫酸ペントサンの製造方法。
【請求項３】
前記脱アセチル化工程において、前記酸性キシロオリゴ糖を含む溶液をｐＨ１２以上で０．５時間以上攪拌する請求項１に記載のポリ硫酸ペントサンの製造方法。
【請求項４】
前記塩基が水酸化ナトリウムである請求項１〜３のいずれか１項に記載のポリ硫酸ペントサンの製造方法。
【請求項５】
前記解重合工程が非アルカリ性条件下で行われる請求項１〜４のいずれか１項に記載のポリ硫酸ペントサンの製造方法。
【請求項６】
前記解重合工程が加熱処理工程である請求項１〜５のいずれか１項に記載のポリ硫酸ペントサンの製造方法。
【請求項７】
前記加熱処理工程が非アルカリ性条件下で１２０℃以上に加熱する工程である請求項６に記載のポリ硫酸ペントサンの製造方法。
【請求項８】
前記植物由来原料が木材由来原料である請求項１〜７のいずれか１項に記載のポリ硫酸ペントサンの製造方法。
【請求項９】
第１工程と第２工程との間に、分子量調整工程をさらに含む請求項１〜８のいずれか１項に記載のポリ硫酸ペントサンの製造方法。
【請求項１０】
前記分子量調整工程の後に、分子量調整後分離精製工程をさらに含む請求項９に記載のポリ硫酸ペントサンの製造方法。
【請求項１１】
第２工程が、前記硫酸化工程の後に、硫酸化後精製工程をさらに含む請求項１〜１０のいずれか１項に記載のポリ硫酸ペントサンの製造方法。
【請求項１２】
第２工程が、前記硫酸化後精製工程の後に粉末化工程をさらに含む請求項１１に記載のポリ硫酸ペントサンの製造方法。
【請求項１３】
請求項１〜１２のいずれか１項に記載の製造方法で製造されたポリ硫酸ペントサン。
【請求項１４】
アセチル基含量が０〜２．０質量％である、請求項１３に記載のポリ硫酸ペントサン。
【請求項１５】
請求項１３又は１４に記載のポリ硫酸ペントサンを含む抗凝固剤。
【発明の詳細な説明】
【技術分野】
【０００１】
本発明は、ポリ硫酸ペントサンの製造方法に関する。
【背景技術】
【０００２】
従来、血栓症や骨関節症等の治療薬としてヘパリンが用いられている。しかし、ヘパリンは牛や豚などの動物性器官から分離される物質であるため、品質管理上の難しさがある。また、宗教上の倫理観などにより、治療の際にその使用が躊躇される場合がある。このため、ヘパリンに替わる動物由来成分フリーの代替治療薬の開発が求められている。【０００３】
ヘパリンに替わる物質としては、例えば、ポリ硫酸ペントサンが知られている。ポリ硫酸ペントサンは植物由来のキシロオリゴ糖を硫酸化することで得られる。このようなポリ硫酸ペントサンは、動物由来成分フリーの物質であることから、ヘパリンに替わる治療薬としてその応用が期待されている（例えば、特許文献１及び２）。【０００４】
特許文献１及び２には、キシランを硫酸化する工程を含むポリ硫酸ペントサンを製造する方法が開示されている。
広葉樹のキシランは、天然状態ではキシロース１０個に対して、５-７個の比率で２位又は３位にアセチル基を持つことが知られている（非特許文献１）。また、特許文献３には、医薬用途に用いられているポリ硫酸ペントサンが、４位にウロン酸が結合しているとともに３位がアセチル化しているキシロース単位を含むことが開示されている。
【先行技術文献】
【特許文献】
【０００５】
【特許文献１】国際公開第２０１０／００００１３号
【特許文献２】特公昭４８−０４３１００号公報
【特許文献３】国際公開第２０１４／１１４７２３号
【非特許文献】
【０００６】
【非特許文献１】株式会社シーエムシー出版、「ウッドケミカルスの技術」、２００７年初版発行、第１０８頁
【発明の概要】
【発明が解決しようとする課題】
【０００７】
本発明はポリ硫酸ペントサンの製造方法として、安価で効率的な製造方法を提供することを課題とする。
【課題を解決するための手段】
【０００８】
上記の課題を解決するために鋭意検討を行った結果、本発明者らは、ポリ硫酸ペントサンの製造方法において、植物由来原料の解重合工程と硫酸化工程とをこの順で設けることによりポリ硫酸ペントサンの製造方法を大幅に効率化し得ることを見出した。さらに、解重合工程の後に脱アセチル化工程を設けることにより、ポリ硫酸ペントサンの収率が脱アセチル化工程を設けないポリ硫酸ペントサンの収率と比較して高くなることを見出した。
具体的に、本発明は、以下の構成を有する。【０００９】
［１］植物由来原料から酸性キシロオリゴ糖を得る第１工程と上記酸性キシロオリゴ糖からポリ硫酸ペントサンを得る第２工程とを含み、
第１工程は上記植物由来原料の解重合工程を含み、
第２工程は上記酸性キシロオリゴ糖の硫酸化工程を含み、
上記解重合工程より後の工程としてｐＨ１１以上とするために塩基を添加する脱アセチル化工程を含む、ポリ硫酸ペントサンの製造方法。
［２］上記脱アセチル化工程において、上記酸性キシロオリゴ糖を含む溶液をｐＨ１１以上で１時間以上攪拌する［１］に記載のポリ硫酸ペントサンの製造方法。
［３］上記脱アセチル化工程において、上記酸性キシロオリゴ糖を含む溶液をｐＨ１２以上で０．５時間以上攪拌する［１］に記載のポリ硫酸ペントサンの製造方法。
［４］上記塩基が水酸化ナトリウムである［１］〜［３］のいずれかに記載のポリ硫酸ペントサンの製造方法。
［５］上記解重合工程が非アルカリ性条件下で行われる［１］〜［４］のいずれかに記載のポリ硫酸ペントサンの製造方法。
［６］上記解重合工程が加熱処理工程である［１］〜［５］のいずれかに記載のポリ硫酸ペントサンの製造方法。【００１０】
［７］上記加熱処理工程が非アルカリ性条件下で１２０℃以上に加熱する工程である［６］に記載のポリ硫酸ペントサンの製造方法。
［８］上記植物由来原料が木材由来原料である［１］〜［７］のいずれかに記載のポリ硫酸ペントサンの製造方法。
［９］第１工程と第２工程との間に、分子量調整工程をさらに含む［１］〜［８］のいずれかに記載のポリ硫酸ペントサンの製造方法。
［１０］上記分子量調整工程の後に、分子量調整後分離精製工程をさらに含む［９］に記載のポリ硫酸ペントサンの製造方法。
［１１］第２工程が、上記硫酸化工程の後に、硫酸化後精製工程をさらに含む［１］〜［１０］のいずれかに記載のポリ硫酸ペントサンの製造方法。
［１２］第２工程が、上記硫酸化後精製工程の後に粉末化工程をさらに含む［１１］に記載のポリ硫酸ペントサンの製造方法。
［１３］［１］〜［１２］のいずれかに記載の製造方法で製造されたポリ硫酸ペントサン。
［１４］アセチル基含量が０〜２．０質量％である、［１３］に記載のポリ硫酸ペントサン。
［１５］［１３］又は［１４］に記載のポリ硫酸ペントサンを含む抗凝固剤。
【発明の効果】
【００１１】
本発明により、低アセチル基含量のポリ硫酸ペントサンの製造方法が提供される。本発明の製造方法により、ポリ硫酸ペントサンを効率良く高収率で製造することができる。
【図面の簡単な説明】
【００１２】
【図１】図１は、ポリ硫酸ペントサンの製造工程を説明する図である。
【図２】図２は、ポリ硫酸ペントサンの製造工程を説明する図である。
【図３】実施例及び比較例で得られたアセチル基含量の異なるポリ硫酸ペントサンの抗ＩＩａ活性及び抗Ｘａ活性を示すグラフである。
【発明を実施するための形態】
【００１３】
以下において、本発明について詳細に説明する。以下に記載する構成要件の説明は、代表的な実施形態や具体例に基づいてなされることがあるが、本発明はそのような実施形態に限定されるものではない。
【００１４】
（ポリ硫酸ペントサンの製造方法）
本発明は、酸性キシロオリゴ糖から誘導されるポリ硫酸ペントサンの製造方法に関する。
本発明は、植物由来原料から酸性キシロオリゴ糖を得る第１工程と酸性キシロオリゴ糖からポリ硫酸ペントサンを得る第２工程とを含む製造方法においてさらに脱アセチル化工程を含むポリ硫酸ペントサンの製造方法に関する。本発明の製造方法においては、植物由来原料の解重合工程と硫酸化工程とがこの順であることにより、ポリ硫酸ペントサンを効率良く製造することができる。さらに本発明の方法では脱アセチル化工程を含むことにより、ポリ硫酸ペントサンを高収率で製造することができる。
【００１５】
ポリ硫酸ペントサンは、キシロオリゴ糖の水酸基の少なくとも１つを硫酸化することで得られる化合物である。本明細書においては、ポリ硫酸ペントサンには、ポリ硫酸ペントサンの塩ならびにポリ硫酸ペントサンの溶媒和物及びポリ硫酸ペントサンの塩の溶媒和物も含まれる。すなわち、本発明の製造方法には、ポリ硫酸ペントサンの塩やポリ硫酸ペントサン又はその塩の溶媒和物の製造方法も含まれる。ポリ硫酸ペントサン塩は、薬学的に許容される塩であることが好ましく、例えば、ポリ硫酸ペントサンナトリウム、ポリ硫酸ペントサンカリウム、ポリ硫酸ペントサンカルシウム等を挙げることができる。溶媒和物は薬学的に許容される溶媒和物であることが好ましく、溶媒としては、例えば水を挙げることができる。
【００１６】
酸性キシロオリゴ糖から誘導されるポリ硫酸ペントサンは、以下の一般式で表される構造を有するものである。ポリ硫酸ペントサンは以下の一般式で表される構造を１つ含むものであってもよく、以下の一般式で表される構造を２つ以上含むものであってもよい。以下の一般式で表される構造を２つ以上含む場合、以下の構造は、ポリ硫酸ペントサンの繰り返し単位を表す構造となる。
【００１７】
【化１】
2018043668.tif 000002
【００１８】
ここで、上記一般式において、Ｒはそれぞれ独立に、水素原子、−ＣＯＣＨ3、−ＳＯ3Ｘ1であり、少なくとも１つのＲは−ＳＯ3Ｘ1である。Ｘ1は、水素原子又は一価もしくは二価の金属であり、水素原子、ナトリウム、カリウム又はカルシウムであることが好ましく、ナトリウム、カリウム又はカルシウムであることがより好ましく、ナトリウムであることが特に好ましい。Ｘは、水素原子又は一価もしくは二価の金属であり、ナトリウム、カリウム又はカルシウムであることが好ましく、ナトリウムであることが特に好ましい。また、ｎ１及びｎ２はそれぞれ独立に０以上３０以下の整数を表し、ｎ１及びｎ２の少なくとも一方は１以上の整数である。
【００１９】
上記一般式において、ｎ１＋ｎ２は１〜２７が好ましく、２〜１８がより好ましく、３〜１０がさらに好ましい。
【００２０】
上記一般式において、Ｘは一価もしくは二価の金属であることが好ましく、医薬的に許容されるポリ硫酸ペントサンの塩であることが好ましい。例えば、Ｘはナトリウム、カリウム又はカルシウムであることが好ましく、この場合、ポリ硫酸ペントサンの塩は、ポリ硫酸ペントサンナトリウム、ポリ硫酸ペントサンカリウム、ポリ硫酸ペントサンカルシウムとなる。中でも、ポリ硫酸ペントサンの塩は、ポリ硫酸ペントサンナトリウムであることが特に好ましい。
【００２１】
ポリ硫酸ペントサンは上記一般式で表される構造を１つ含むものであってもよく、上記一般式で表される構造を２つ以上含むものであってもよい。上記一般式で表される構造を２つ以上含む場合、上記構造は、ポリ硫酸ペントサンの繰り返し単位を表す構造となる。
上記一般式で表される構造の末端であって、上記一般式で表される構造に結合していない部分は、−ＯＲとなっていればよい。すなわち、上記一般式の左末端（ｎ１側）には−ＯＲが結合し、上記一般式の右末端（ｎ２側）には−Ｒが結合していればよい。
【００２２】
本発明においては、ポリ硫酸ペントサンは、酸性キシロオリゴ糖を硫酸化することで得られる。ここで、キシロオリゴ糖の一種である酸性キシロオリゴ糖は、キシロオリゴ糖１分子中の少なくともいずれかのキシロース単位に、少なくとも１つのウロン酸が結合したものである。すなわち、酸性キシロオリゴ糖は、キシロオリゴ糖１分子中に少なくとも１つ以上のウロン酸残基を側鎖として有するものである。なお、酸性キシロオリゴ糖１分子当たりのウロン酸残基平均数は、１以上３以下であることが好ましく、１以上２以下であることがより好ましい。ここで、酸性キシロオリゴ糖１分子中に含まれるウロン酸残基の数は、カルバゾール硫酸法や四ホウ酸ナトリウムを使用した比色法で測定することができる。
【００２３】
上述の国際公開第２０１４／１１４７２３号及びウッドケミカルスの技術（シーエムシー出版）の記載に基づけば、公知のポリ硫酸ペントサンは、ウロン酸残基とともにアセチル基（−ＣＯＣＨ3）が結合したキシロース単位を一定量含んでいると考えられる。本発明の製造方法で得られるポリ硫酸ペントサンは、アセチル基の含量が低減されており、特に上記のように特定のキシロース単位に結合しているアセチル基含量も低減されている。
【００２４】
具体的には、本発明の製造方法で得られるポリ硫酸ペントサンはアセチル基含量が０〜２．０質量％である。ポリ硫酸ペントサンのアセチル基含量は０〜１．０質量％であることが好ましく、０〜０．４質量％であることがより好ましく、０〜０．３質量％であることがさらに好ましく、実質的に０質量％であることが特に好ましい。すなわち、本発明の製造方法で得られるポリ硫酸ペントサンは、上記の一般式において、−ＣＯＣＨ3であるＲを含まないものが特に好ましい。
【００２５】
ポリ硫酸ペントサン中のアセチル基含量は、実施例で示すように、1Ｈ−ＮＭＲ測定におけるピークの積分比から算出することができる。具体的には、まず、特定量のポリ硫酸ペントサンと特定量の内標準物質とを含む1Ｈ−ＮＭＲ測定溶液を用いて1Ｈ−ＮＭＲ測定を行なう。得られるスペクトルにおいて内標準物質の特定の基のピークと、アセチル基のピークとの積分比を比較して、溶液中のアセチル基モル量を求める。その後、アセチル基モル量に４３を乗じたものを別に得られる平均分子量で割った値から質量％を求めることができる。
【００２６】
（植物由来原料）
本発明において、酸性キシロオリゴ糖は、植物由来原料を解重合することで得られるものである。植物由来原料としては、例えば、木材由来原料、種子由来原料、穀物由来原料、果実由来原料等を挙げることができる。また、植物由来原料としては、コットンリンターやコットンリント等のコットン、ケナフや麻、ラミー、稲ワラ等の草本系植物等を用いることもできる。植物由来原料としては、上述した各由来原料を組み合わせて使用してもよい。
【００２７】
中でも、植物由来原料としては、木材由来原料を用いることが好ましい。木材由来原料としては、例えば、針葉樹や広葉樹のような木材原料を挙げることができる。木材由来原料としては、針葉樹及び広葉樹から選択される少なくとも１種を用いることが好ましく、広葉樹を用いることがより好ましい。なお、木材由来原料として、針葉樹と広葉樹を混合したものを用いてもよい。また、木材由来原料としては、樹皮を用いてもよい。
【００２８】
広葉樹としては、ブナ、ユーカリ・グロブラス、ユーカリ・グランディス、ユーカリ・ユーログランディス、ユーカリ・ペリータ、ユーカリ・ブラシアーナ、アカシア・メランシ等を挙げることができる。針葉樹としては、スギ、ヒノキ、マツ、ヒバ、ツガ等が挙げられる。
【００２９】
木材由来原料の容積重は、４５０ｋｇ／ｍ3以上７００ｋｇ／ｍ3以下であることが好ましく、５００ｋｇ／ｍ3以上６５０ｋｇ／ｍ3以下であることがより好ましい。木材由来原料の容積重を上記範囲内とすることにより、酸性キシロオリゴ糖の生産効率をより高めることができる。
【００３０】
木材由来原料は、上述した木材を破砕した木材チップであることが好ましい。植物由来原料として木材チップを用いることにより、植物由来原料の解重合を効率よく進めることができ、酸性キシロオリゴ糖の生産効率を高めることができる。
【００３１】
（第１工程）
＜解重合工程＞
本発明のポリ硫酸ペントサンの製造方法は、図１に示されているように、植物由来原料から酸性キシロオリゴ糖を得る第１工程を含む。本発明のポリ硫酸ペントサンの製造方法では、第１工程において植物由来原料を解重合する工程を含む。植物由来原料を解重合する工程では、植物由来原料を化学的及び／又は物理的に分解し、酸性キシロオリゴ糖を生成させる。化学的及び／又は物理的に分解する工程としては、例えば、加熱処理工程、アルカリ処理工程、酸処理工程、酵素処理工程、イオン液体処理工程、触媒処理工程等が挙げられる。中でも、解重合工程は、加熱処理工程、及び酵素処理工程から選択される少なくともいずれかであることが好ましく、加熱処理工程であることがより好ましい。また、加熱処理工程は、加熱加圧工程であってもよい。
解重合工程は、非アルカリ性条件下（本明細書では、ｐＨ９以下、好ましくはｐＨ８以下、より好ましくはｐＨ７以下をいう。）で行なわれることが好ましい。
【００３２】
加熱処理工程は、植物由来原料を溶液の存在下で加熱する工程である。このような加熱処理工程では植物由来原料が加水分解されるため、加熱処理工程は加水分解処理工程や前加水分解処理工程と呼ばれることがある。加熱処理工程で用いる溶液は水であることが好ましく、植物由来原料に対する水の割合（質量比）は１：１〜１：１０であることが好ましい。植物由来原料に対する水の割合を上記範囲内とすることにより加水分解反応を効率よく進行させることができる。なお、加熱処理工程で用いられる水は、植物由来原料とは別に添加した水分であってもよいが、その一部は植物由来原料に元々含まれる水分であってもよい。
【００３３】
加熱処理工程では、植物由来原料と水の他に、他の薬品を添加してもよい。他の薬品としては、例えば、アルカリ、酸、キレート剤を挙げることができる。また、スケール防止剤や、ピッチコントロール剤、イオン液体といった多糖の解重合を直接的・間接的に補助する薬品を添加してもよい。
【００３４】
加熱処理工程は、植物由来原料を水の存在下で加熱する工程であるが、この際の加熱温度（液温）は、３０℃以上であることが好ましく、５０℃以上であることがより好ましく、７５℃以上であることがさらに好ましく、９０℃以上であることがよりさらに好ましく、１００℃以上であることが特に好ましく、１２０℃以上であることが最も好ましい。また、加熱温度（液温）は、３００℃以下であることが好ましく、２５０℃以下であることがより好ましく、２００℃以下であることがさらに好ましい。
【００３５】
加熱処理工程における処理時間は処理温度に応じて適宜決定することができる。処理時間は、例えば、５分以上であることが好ましく、１０分以上であることがより好ましく、２０分以上であることがさらに好ましい。なお、下記式で表されるＰファクターは加熱処理時の温度と時間の積でありＰファクターを好ましい範囲内に調整することが好ましい。
【００３６】
【数１】
2018043668.tif 000003
【００３７】
上記式において、ＰはＰファクターを表し、Ｔは絶対温度（℃＋２７３．５）を表し、ｔは加熱処理時間を表し、ＫH1(T)／Ｋ100℃はグリコシド結合の加水分解の相対速度を表す。
【００３８】
加熱処理工程では、Ｐファクターを２００以上とすることが好ましく、２５０以上とすることがより好ましく、３００以上とすることがさらに好ましい。なお、Ｐファクターは１０００以下であることが好ましい。加熱処理工程ではＰファクターを適宜調整することで酸性キシロオリゴ糖の平均重合度を所望の範囲内とすることができ、これにより、得られるポリ硫酸ペントサンの分子量を調整することができる。
【００３９】
加熱処理工程では、植物由来原料を含む溶液のｐＨは９以下であることが好ましく、８以下であることがより好ましく、７以下であることがさらに好ましい。すなわち、加熱処理工程は、非アルカリ性条件下で行うことが好ましい。なお、上記のｐＨの値は、加熱処理を行う前の溶液のｐＨである。
【００４０】
加熱処理工程では、原料由来の酸が解離し、少なくとも一部で酸加水分解が行われてもよい。植物原料由来の酸としては、例えば、酢酸やギ酸等の有機酸を挙げることができる。この場合、酸加水分解後の植物由来原料を含む溶液のｐＨはさらに低下することとなる。
【００４１】
本発明のポリ硫酸ペントサンの製造方法においては、最初の工程として加熱処理工程を設けることが好ましい。これにより、酸性キシロオリゴ糖の生産効率を高めることができ、さらにはポリ硫酸ペントサンの製造効率を高めることができる。最初の工程として加熱処理工程を設けることにより、従来法と比較して酸性キシロオリゴ糖を得るまでの工程数を大幅に削減することができる。また、最初の工程として非アルカリ性条件下で加熱処理工程を設けることにより、酸性キシロオリゴ糖にヘキセンウロン酸が置換することがなく、着色が抑制された酸性キシロオリゴ糖を効率よく生産することができる。
【００４２】
本発明においては、解重合工程は加熱処理工程であることが好ましいが、加熱処理工程以外の工程を採用することもできる。例えば、解重合工程が酵素処理工程である場合は、解重合工程は植物由来原料と酵素を混合する工程を含む。酵素としては、例えば、ヘミセルラーゼ等用いることができる。具体的には、商品名セルロシンＨＣ１００（エイチビィアイ社製）、商品名セルロシンＴＰ２５（エイチビィアイ社製）、商品名セルロシンＨＣ（エイチビィアイ社製）、商品名カルタザイム（クラリアント社製）、商品名エコパルプ（ローム・エンザイム社製）、商品名スミチーム（新日本化学工業社製）、パルプザイム（ノボノルディクス社製）、マルチフェクト７２０（ジェネンコア社）などの市販の酵素製剤や、トリコデルマ属、テルモミセス属、オウレオバシヂウム属、ストレプトミセス属、アスペルギルス属、クロストリジウム属、バチルス属、テルモトガ属、テルモアスクス属、カルドセラム属、テルモモノスポラ属などの微生物により生産されるキシラナーゼを使用することができる。
【００４３】
酵素処理工程では、植物由来原料と水を混合した溶液に酵素を添加する。この際の溶液の温度は、１０℃以上９０℃以下であることが好ましく、３０℃以上６０℃以下であることがより好ましい。なお、溶液の温度は、用いる酵素の至適温度に近い温度であることが好ましい。また、溶液のｐＨも酵素の活性が高まるような範囲に調整することが好ましく、例えばｐＨを３以上１０以下に調整することが好ましい。
【００４４】
また、解重合工程がアルカリ処理工程や酸処理工程である場合は、植物由来原料と、アルカリ溶液又は酸溶液を混合する工程を含む。アルカリ処理工程では、水酸化ナトリウムや水酸化カリウムを添加することが好ましい。また、酸処理工程では、塩酸、硫酸、酢酸等を添加することが好ましい。なお、この場合も適宜加熱や加圧を行ってもよい。
【００４５】
解重合工程が、酵素処理工程、アルカリ処理工程及び酸処理工程から選択される少なくともいずれかである場合は、該処理工程の後に、さらに圧搾工程、抽出工程、加熱工程、濾過工程、分離工程、精製工程、濃縮工程、脱塩工程等が設けられる場合がある。また、該処理工程の後に、低分子化工程を設ける必要がある場合もある。なお、その他の工程としては、特開２００３−１８３３０３号公報に記載された工程を挙げることができ、これらの内容は本明細書に取り込まれる。
【００４６】
＜濾過工程＞
本発明のポリ硫酸ペントサンの製造方法において第１工程は、上述した解重合工程の後にさらに濾過工程を含んでもよい。濾過工程では、植物由来原料の固形分と、固形分を除く溶液に分離される。具体的には、解重合工程の後に濾過工程を設けることにより、パルプ原料となる固形分と、濾液に分離される。なお、パルプ原料となる固形分は、後工程として蒸解工程等を経ることでセルロース原料（溶解パルプ）となる。
【００４７】
回収した濾液は、ガス層と液層に分けることができる。ガス層には、フルフラール類が多く含まれるため、これらを回収することでフルフラール類を単離することができる。一方、液層には、酸性キシロオリゴ糖や中性キシロオリゴ糖を含むヘミセルロースが多く含まれている。後述する工程において、この液層に含まれる酸性キシロオリゴ糖を分離精製することができる。
【００４８】
＜分離精製工程＞
本発明のポリ硫酸ペントサンの製造方法において第１工程は、上述した解重合工程の後にさらに分離精製工程を含んでもよい。第１工程が上述した濾過工程を含む場合、分離精製工程は、濾過工程の後に設けられることが好ましい。
図２においては、解重合する工程の後に、濾過工程を設け、さらに、濾過工程の後に分離精製工程を設けたフロー図が示されている。第１工程では、解重合する工程の直後に分離精製工程を設けてもよいが、解重合する工程の後に濾過工程を設け、得られた濾液から酸性キシロオリゴ糖を分離精製する工程を設けることが好ましい。なお、濾過工程は分離精製工程の一部として設けられていてもよいし、図２に示されるように、分離精製工程とは独立した１工程として設けられていてもよい。分離精製工程は、酸性キシロオリゴ糖を分離精製する工程である。濾過工程で得られた濾液には、酸性キシロオリゴ糖の他に中性キシロオリゴ糖などの種々の糖類が含まれているため、分離精製工程はこれらの糖類を必要に応じて除去する工程でもある。
【００４９】
分離精製工程では、例えば、イオン交換クロマトグラフィー、アフィニティークロマトグラフィー、ゲル濾過、イオン交換処理、ＮＦ膜処理、ＵＦ膜処理、ＲＯ膜処理、活性炭処理等の方法を採用することが好ましい。分離精製工程では、上記方法を複数組み合わせて行うことも好ましい。中でも、分離精製工程においてイオン交換クロマトグラフィーを行うことにより、酸性キシロオリゴ糖を選択的に分離精製することができる。イオン交換クロマトグラフィーでは、酸性キシロオリゴ糖を吸着することにより、糖液（濾液）から酸性キシロオリゴ糖を主に取り出すことができる。具体的には、糖液をまず強陽イオン交換樹脂にて処理し、糖液中の金属イオンを除去する。次いで、強陰イオン交換樹脂を用いて糖液中の硫酸イオンなどを除去する。そして、弱陰イオン交換樹脂で処理し、酸性キシロオリゴ糖を樹脂に吸着させる。樹脂に吸着した酸性オリゴ糖を、低濃度の塩（ＮａＣｌ、ＣａＣｌ2、ＫＣｌ、ＭｇＣｌ2など）によって溶出させることにより、夾雑物の少ない酸性キシロオリゴ糖液を得ることができる。
【００５０】
＜濃縮工程＞
本発明のポリ硫酸ペントサンの製造方法において第１工程は、さらに濃縮工程を含んでいてもよい。濃縮工程は、図２に示されているように、例えば、濾過工程の後であって、分離精製工程の前に設けられることが好ましい。このような濃縮工程を設けることにより、分離精製工程をより効率良く行うことができ、ポリ硫酸ペントサンの生産効率を高めることができる。
【００５１】
濃縮工程としては、例えば、ＮＦ膜、限外濾過膜、逆浸透膜等を用いた膜処理工程や、エバポレーション等を用いた濃縮工程等を挙げることができる。
【００５２】
濃縮工程では、酸性キシロオリゴ糖の含有量が、濃縮液の全質量に対して１０％以上８０％以下となるように濃縮することが好ましく、２０％以上６０％以下となるように濃縮することが好ましい。
【００５３】
＜脱水工程＞
第１工程で得られる酸性キシロオリゴ糖は、酸性キシロオリゴ糖液として得てもよいが、脱水工程を経ることにより、酸性キシロオリゴ糖濃縮物や酸性キシロオリゴ糖粉末として得てもよい。酸性キシロオリゴ糖粉末を製造する場合は、分離精製工程の後に、さらに粉末化工程を設けることが好ましい。本発明において、脱水工程を設けることにより、後述する硫酸化工程における硫酸化を効率よく進めることができる。
【００５４】
粉末化工程では、分離精製工程で得られた酸性キシロオリゴ糖液を、例えば、スプレードライヤー、凍結乾燥機、熱風乾燥機、水溶性の有機溶媒等を用いて処理することにより、酸性キシロオリゴ糖粉末を得ることができる。
【００５５】
（第２工程）
＜硫酸化工程＞
図１に示されているように、本発明のポリ硫酸ペントサンの製造方法は、第１工程と第２工程とを含み、第１工程で得られた酸性キシロオリゴ糖を第２工程において硫酸化することでポリ硫酸ペントサンを得る。すなわち、第２工程は硫酸化工程を含む。
【００５６】
硫酸化に供される酸性キシロオリゴ糖の平均重合度は、最終生成物として得られるポリ硫酸ペントサンの分子量によって適宜調整することが好ましい。
【００５７】
酸性キシロオリゴ糖の平均重合度は、酸性キシロオリゴ糖の全糖量を、還元糖量で除すことで算出することができる。全糖量を算出する際には、まず、酸性キシロオリゴ糖液を５０℃に保ち、１５０００ｒｐｍにて１５分間遠心分離を行う。その後、上清液の全糖量をフェノール硫酸法（「還元糖の定量法」学会出版センター発行）にて定量する。この際、使用する検量線はＤ−キシロース（和光純薬工業）を用いて作成する。また、還元糖量は、ソモジーネルソン法（「還元糖の定量法」学会出版センター発行）にて定量する。この際にも、使用する検量線はＤ−キシロース（和光純薬工業）を用いて作成する。
【００５８】
硫酸化工程では、酸性キシロオリゴ糖液に硫酸又は硫酸誘導体を加え、硫酸化を行う。硫酸誘導体としては、例えば、三酸化硫黄・ピリジン錯体やクロロスルホン酸等を挙げることができる。この際、酸性キシロオリゴ糖液の濃度は、０．１質量％以上２０質量％以下であることが好ましく、このような濃度の酸性キシロオリゴ糖液に硫酸を０．１質量％以上５０質量％以下となるように添加することが好ましい。硫酸を添加した後の酸性キシロオリゴ糖液のｐＨは１以上９以下であることが好ましい。
【００５９】
＜硫酸化後精製工程＞
本発明のポリ硫酸ペントサンの製造方法において、第２工程は、硫酸化の後に、硫酸化後精製工程をさらに含んでもよい。このような硫酸化後精製工程を設けることにより、純度の高いポリ硫酸ペントサンを得ることができる。
【００６０】
硫酸化後精製工程では、例えば、遠心分離、膜濾過、透析、水溶性有機溶媒処理、活性炭処理等の方法を採用することが好ましい。中でも、水溶性有機溶媒処理及び活性炭処理は、硫酸化されたポリ硫酸ペントサンを選択的に分離精製することができるため、好ましく用いられる。
【００６１】
＜粉末化工程＞
第２工程では、硫酸化されたポリ硫酸ペントサンは、ポリ硫酸ペントサン溶液として得てもよいが、粉末化工程を経ることにより、ポリ硫酸ペントサン粉末として得てもよい。ポリ硫酸ペントサン粉末を製造する場合は、硫酸化後精製工程の後に、さらに粉末化する工程を設けることが好ましい。
【００６２】
粉末化工程としては、硫酸化後精製工程で得られたポリ硫酸ペントサン溶液を、例えば、スプレードライヤー、凍結乾燥機、熱風乾燥機、水溶性の有機溶媒等を用いて処理することにより、ポリ硫酸ペントサン粉末を得ることができる。
【００６３】
上述したような第２工程を経ることで、ポリ硫酸ペントサンが得られる。ここで得られるポリ硫酸ペントサンの硫黄含量は、ポリ硫酸ペントサンの全質量に対して１０質量％以上２０質量％以下が好ましい。ポリ硫酸ペントサンの硫黄含量は、日本薬局方一般試験法の酸素フラスコ燃焼法などにより測定できる。
【００６４】
（脱アセチル化工程）
本発明のポリ硫酸ペントサンの製造方法は、解重合工程の後のいずれかの段階で脱アセチル化工程を含む。脱アセチル化工程は、ポリ硫酸ペントサンが有するアセチル基含量を低減させるための工程である。具体的には、脱アセチル化工程は、酸性キシロオリゴ糖等の、植物由来原料をもとに得られた物質を含む溶液（本明細書においては、「酸性キシロオリゴ糖等を含む溶液」とも呼ぶ。）をｐＨ１１以上とするために塩基を添加する工程である。脱アセチル化工程においては、解重合後に得られる溶液、濾過工程で得られた濾液、分離精製工程後かつ硫酸化工程前の酸性キシロオリゴ糖を含む溶液、又は硫酸化工程後の酸性キシロオリゴ糖（ポリ硫酸ペントサン）を含む溶液等がｐＨ１１以上とされていればよい。これらのうち、分離精製工程後かつ硫酸化工程前の酸性キシロオリゴ糖を含む溶液をｐＨ１１以上とした場合には、安定した品質でアセチル基含量が低減したポリ硫酸ペントサンを得ることができ、また、アセチル基が結合していた部位も硫酸化することができるため、硫酸化の効率、ひいてはポリ硫酸ペントサンの製造効率を向上させることが可能である。また、硫酸化工程後の酸性キシロオリゴ糖（ポリ硫酸ペントサン）を含む溶液をｐＨ１１以上とした場合には、精製工程を効率化することができる。酸性キシロオリゴ糖等を含む溶液は水溶液であることが好ましい。本明細書において酸性キシロオリゴ糖を含む溶液を酸性キシロオリゴ糖液ということもある。
【００６５】
脱アセチル化工程で適用されるｐＨは１１〜１４であることが好ましく、１２〜１３がより好ましい。脱アセチル化工程に付される溶液は、０．５時間以上ｐＨ１１以上で維持することが好ましく、１．０時間以上ｐＨ１１以上で維持することがより好ましく、２．０時間以上ｐＨ１１以上で維持することがさらに好ましく、３．０時間以上ｐＨ１１以上で維持することが特に好ましい。特にｐＨが１２未満のときは１．０時間以上維持することが好ましい。特に好ましい条件としてはｐＨ１２〜１３で３時間以上維持する条件を挙げることができる。
【００６６】
上記のｐＨに維持する間、上記溶液は、撹拌されていることが好ましい。上記のｐＨに維持する間の温度条件は特に限定されないが、室温であることが好ましい。
【００６７】
脱アセチル化工程においては、脱アセチル化工程に付される溶液（酸性キシロオリゴ糖を含む溶液等）に塩基が添加されればよい。添加される塩基は目的のｐＨが達成できる限り特に限定されないが、水酸化ナトリウムが好ましい。
【００６８】
脱アセチル化工程は、上記のｐＨでの維持後、塩基の添加によりｐＨ１１以上となった溶液を、ｐＨ１１未満に調整するｐＨ調整工程を含んでいてもよい。ｐＨ調整工程では、例えば、ｐＨ９以下、ｐＨ８以下、ｐＨ７以下、ｐＨ６以下、ｐＨ５以下、ｐＨ４以下等に調整されればよい。調整は酸の添加により行なわれればよい。酸としては塩酸が挙げられる。
【００６９】
脱アセチル化工程は、上記ｐＨ調整工程の後に脱塩工程を含むことも好ましい。脱塩は例えば透析膜やＮＦ膜を用いて行なうことができる。
【００７０】
脱アセチル化工程は、さらにその後の処理のために生成物を粉末化する工程を含んでいてもよい。
【００７１】
（その他の工程）
＜分子量調整工程＞
本発明のポリ硫酸ペントサンの製造方法は、上述した第１工程と第２工程の間に、分子量調整工程をさらに含んでもよい。分子量調整工程は脱アセチル化工程の前であってもよく、後であってもよい。図２には、第１工程と第２工程の間に、分子量調整工程を含むフロー図が示されている。図２に示されているように、分子量調整工程では、第１工程で得られる酸性キシロオリゴ糖の分子量を調整する。例えば、分子量調整工程では、酸性キシロオリゴ糖を低分子化することができる。
【００７２】
分子量調整工程では、例えば、酸処理やアルカリ処理、酵素処理、ＮＦ膜処理、ＵＦ膜処理、ＲＯ膜処理、ゲル濾過処理、活性炭処理、イオン交換処理、電気透析処理等を行うことにより、重量平均分子量が１０００以上３００００以下のポリ硫酸ペントサンを得ることができる。また、分子量調整工程では、膜処理等を行うことにより、所望の重量平均分子量であるポリ硫酸ペントサンを選択的に回収する方法を採用してもよい。
【００７３】
＜分子量調整後分離精製工程＞
本発明のポリ硫酸ペントサンの製造方法は、分子量調整工程の後に、分子量調整後分離精製工程をさらに含んでもよい。分子量調整後分離精製工程としては、例えば、ゲルろ過、イオン交換処理、ＮＦ膜処理、ＵＦ膜処理、ＲＯ膜処理、電気透析処理、活性炭処理、水溶性有機溶媒処理、クロマトグラフィー処理等を挙げることができる。このような分子量調整後分離精製工程を設けることにより、分子量調整工程で得られた所望の分子量を有する酸性キシロオリゴ糖を選択的に回収することができ、分子量分布の狭いポリ硫酸ペントサンを効率よく得ることができる。
【００７４】
本発明の製造方法で得られるポリ硫酸ペントサンの重量平均分子量（Ｍｗ）は、特に限定されるものではないが、例えば、５０００以下であってもよく、４０００以下であってもよく、３９００以下であってもよく、３８００以下であってもよく、３７５０以下であってもよい。この場合、ポリ硫酸ペントサンの重量平均分子量（Ｍｗ）の下限値は１０００であることが好ましい。
また、ポリ硫酸ペントサンの重量平均分子量（Ｍｗ）は、５０００超であってもよく、６０００以上であってもよく、７０００以上であってもよく、１００００以上であってもよく、１５０００以上であってもよく、２００００以上であってもよい。
【００７５】
ポリ硫酸ペントサンの数平均分子量（Ｍｎ）は、特に限定されるものではないが、例えば、５０００以下であってもよく、４０００以下であってもよく、３９００以下であってもよく、３８００以下であってもよく、３７５０以下であってもよい。この場合、ポリ硫酸ペントサンの数平均分子量（Ｍｎ）の下限値は３００であることが好ましい。
また、ポリ硫酸ペントサンの数平均分子量（Ｍｎ）は、５０００超であってもよく、６０００以上であってもよく、７０００以上であってもよく、１００００以上であってもよく、１５０００以上であってもよく、２００００以上であってもよい。
【００７６】
本発明の製造方法で得られるポリ硫酸ペントサンの重量平均分子量（Ｍｗ）と数平均分子量（Ｍｎ）は、ＧＰＣ（ゲルパ−ミエーションクロマトグラフィー）により測定することができる。ＧＰＣカラムとしては、ワイエムシィ社製のＹＭＣ−Ｐａｃｋ  Ｄｉｏｌ−３００とＹＭＣ−Ｐａｃｋ  Ｄｉｏｌ−６０を連結して用いることができる。また、ＧＰＣの条件としては、例えば、下記の条件を採用する。
溶離液： ２５ｍＭリン酸二水素カリウム／２５ｍＭリン酸水素二カリウム／５０ｍＭ塩化カリウム
流速：０．７ｍＬ／分
測定温度：４０℃
検出器：示差屈折率検出器
分析時間：４０分
【００７７】
本発明の製造方法で得られるポリ硫酸ペントサンの分散度は、１．００以上１．４０以下であることが好ましく、１．００以上１．３５以下であることがより好ましい。また、ポリ硫酸ペントサンの分散度は、１．００以上１．２０以下であることも好ましい。ここで、ポリ硫酸ペントサンの分散度（Ｄ）は以下の式で算出される。
分散度（Ｄ）＝重量平均分子量（Ｍｗ）／数平均分子量（Ｍｎ）
【００７８】
本発明の製造方法で得られるポリ硫酸ペントサンは、純度が高く、分子量分布が狭い傾向が見られる。また、本発明の製造方法で得られるポリ硫酸ペントサンは、品質安定性に優れている。
【００７９】
（ポリ硫酸ペントサンの用途）
本発明の製造方法により得られるポリ硫酸ペントサンは、医薬品、食品や化粧品等の用途に用いることができる。例えば、本発明の製造方法により得られるポリ硫酸ペントサン（ポリ硫酸ペントサンもしくはその薬学的に許容される塩又はそれらの溶媒和物）を有効成分として含む医薬組成物を提供することができる。特にポリ硫酸ペントサンは抗凝固活性を有するため、上記医薬組成物は抗凝固剤として用いることができる。
【００８０】
一般的に、抗凝固活性は、血液凝固因子の阻害活性に基づく。すなわち、抗凝固活性が高い状態においては、血液の凝固反応が阻害される。血液凝固因子とは、出血した際などに生体が血液を凝固させるための一連の分子の作用系であり、多数の血液凝固因子が次々に活性化することでフィブリンを凝集させ出血部の止血を行う。血液凝固因子の代表的なものとしては、例えば、Ｘａ因子やＩＩａ因子などが挙げられ、これらの因子の活性を阻害することで血液の凝固することができる。
【００８１】
ポリ硫酸ペントサンのＸａ因子の阻害活性（抗Ｘａ活性）は、０．１０ＩＵ／ｍｇ以上であることが好ましく、０．１２ＩＵ／ｍｇ以上であることがより好ましい。
また、ポリ硫酸ペントサンのＩＩａ因子の阻害活性（抗ＩＩａ活性）は、０．５０ＩＵ／ｍｇ以下であることが好ましく、０．４０ＩＵ／ｍｇ以下であることがより好ましく、０．３０ＩＵ／ｍｇ以下であることがさらに好ましい。
【００８２】
ここで、Ｘａ因子の阻害活性（抗Ｘａ活性）は、テストチーム（登録商標）ヘパリンＳ（積水メディカル社製）を使用して測定することができる。
また、ＩＩａ因子の阻害活性（抗ＩＩａ活性）は、Ｂｉｏｐｈｅｎ  ｈｅｐａｒｉｎ  ａｎｔｉ−ＩＩａ（Ｈｙｐｈｅｎ  Ｂｉｏｍｅｄ社製）を使用して測定することができる。
【００８３】
また、ポリ硫酸ペントサンの、Ｘａ因子の阻害活性（抗Ｘａ活性）とＩＩａ因子の阻害活性（抗ＩＩａ活性）との活性比は所定の範囲内であることが好ましい。具体的には、抗Ｘａ活性／抗ＩＩａ活性の値は、０．５０以上であることが好ましく、１．００以上であることがより好ましく、１．１０以上であることがさらに好ましく、１．２０以上であることが一層好ましい。
本発明の製造方法により、抗Ｘａ活性、抗ＩＩａ活性、及び抗Ｘａ活性／抗ＩＩａ活性の値が上記範囲内に制御されたポリ硫酸ペントサンを得ることができる。すなわち、抗Ｘａ活性よりも抗ＩＩａ活性を低く抑えたポリ硫酸ペントサンを得ることができる。抗Ｘａ活性／抗ＩＩａ活性の値を上記範囲内に制御することで、抗凝固活性をより効果的に高めることができ、出血リスクが増大したり、血小板が減少する等の副作用の発生を抑制することができる。
【００８４】
本発明の製造方法により得られるポリ硫酸ペントサンを含む医薬組成物は、例えば、医療器材又は医療材料の表面処理剤として用いることができる。例えば、埋め込み型人工臓器、人工血管、カテーテル、ステント、血液バッグ、コンタクトレンズ、眼内レンズ、手術用補助器具の表面処理剤として用いることができる。医薬組成物を医療器材又は医療材料の表面に固定する方法としては、例えば、医療器材又は医療材料に医薬組成物を接触させておき、そこへ放射線を照射する方法等が挙げられる。
また、医薬組成物は、経口投与剤や外用剤として用いることもできる。
【実施例】
【００８５】
以下に製造例を挙げて本発明の特徴をさらに具体的に説明する。以下の製造例に示す材料、使用量、割合、処理内容、処理手順等は、本発明の趣旨を逸脱しない限り適宜変更することができる。したがって、本発明の範囲は以下に示す具体例により限定的に解釈されるべきものではない。【００８６】
（実施例１）
＜酸性キシロオリゴ糖の製造＞
木材 チップ（広葉樹）１０質量部に対して、水を４０質量部添加し、１６０℃で３時間加熱処理を行った。その後、スクリュープレス（新菱製作所製：２５０×１０００ＳＰＨ−ＥＮ）にて固液分離を行い、濾液を回収した。濾液をミクロンレート１μｍのバッグフィルター（ＩＳＰフィルターズ社製）で濾過し、活性炭（三倉化成社製：ＰＭ−ＳＸ）を５質量部添加して５０℃で２時間処理した後、更にミクロンレート０．２μｍのセラミックフィルター（日本ポール社製）で活性炭ごと濾過し、清澄な濾液を回収した。清澄濾液を逆浸透膜（日東電工社製：ＮＴＲ−７４５０）で２０倍に濃縮して濃縮糖液を得た後、その濃縮糖液を、ＳＶ１．５で強カチオン樹脂（三菱化学社製：ＰＫ−２１８）、弱アニオン樹脂（三菱化学社製：ＷＡ３０）、強カチオン樹脂（三菱化学社製：ＰＫ−２１８）、弱アニオン樹脂（三菱化学社製：ＷＡ３０）からなる４床４塔式のイオン交換樹脂に通液し、２塔目及び４塔目の弱アニオン樹脂に酸性キシロオリゴ糖を吸着させ、その後５０ｍＭ塩化ナトリウム水溶液をＳＶ１．５で２塔目及び４塔目に通液することにより、平均重合度が８未満の酸性キシロオリゴ糖溶液を回収した。得られた酸性キシロオリゴ糖溶液に、表に記載のｐＨとなるように水酸化ナトリウムを添加し、表に記載の時間撹拌して脱アセチル化を行った。得られた液に、ｐＨ５未満となるように塩酸を添加し透析膜（ＳＰＥＣＴＲＵＭ社製：スペクトラ/ポア）で脱塩を行った。得られた酸性キシロオリゴ糖液は凍結乾燥機（ＥＹＥＬＡ社製）を用いて粉末化した。【００８７】
＜ポリ硫酸ペントサンナトリウムの製造＞
１００ｍＬセパラブルフラスコにＮ，Ｎ−ジメチルホルムアミド１０ｍＬ、三酸化硫黄・ピリジン錯体２．４ｇ及び前述の方法で製造した酸性キシロオリゴ糖粉末０．３ｇを加えて４０℃で３時間反応を行った。冷却後、得られた反応混合物を５００ｍＬのエタノール中に滴下し、生成した沈殿物をろ別し、水３０ｍＬを加えて溶かした。この液に水酸化ナトリウム溶液を加えてｐＨが１０になるように調整した。この液を５００ｍＬのエタノール中に滴下して得られた析出物をろ別した。その後、析出物を５０ｍＬの水を加えて溶解し、活性炭を加えて攪拌した後ろ過した。ろ液をエバポレーターで濃縮し、凍結乾燥機（ＥＹＥＬＡ社製）を用いて粉末化した。【００８８】
＜アセチル基含量＞
３−トリメチルシリルプロピオン酸ナトリウムー２,２,３,３―ｄ４（ＩＳＯＴＥＣ社）３５ｍｇを重水（関東化学社）に溶解し、２５ｍＬメスフラスコを用いてメスアップし、内標準溶液を作成した。実施例及び比較例のペントサンポリ硫酸ナトリウムを３０ｍｇ秤量し、内標準溶液１ｍＬに溶解してＮＭＲ用溶液を調整した。得られた溶液をＮＭＲサンプルチューブ（関東化学社）に移し、ＦＴ−ＮＭＲ（ＪＮＭ−ＬＡ４００：日本電子社）により1Ｈ−ＮＭＲ測定を行った。内標準物質のトリメチルシリル基ピークと、ペントサンポリ硫酸ナトリウムのアセチル基ピークの積分比より、アセチル基含量を算出した。【００８９】
＜ポリ硫酸ペントサンナトリウムの重量平均分子量＞
表１に記載のポリ硫酸ペントサンナトリウムの重量平均分子量（Ｍｗ）は、ＧＰＣ（ゲルパ−ミエーションクロマトグラフィー）により測定した。ＧＰＣカラムとしては、ワイエムシィ社製のＹＭＣ−Ｐａｃｋ  Ｄｉｏｌ−３００とＹＭＣ−Ｐａｃｋ  Ｄｉｏｌ−６０を連結して用いた。ＧＰＣの条件としては、下記の条件を採用した。
溶離液： ２５ｍＭリン酸二水素カリウム／２５ｍＭリン酸水素二カリウム／５０ｍＭ塩化カリウム
流速：０．７ｍＬ／分
測定温度：４０℃
検出器：示差屈折率検出器
分析時間：４０分【００９０】
＜硫黄含量＞
日本薬局方に収載されている酸素フラスコ燃焼法にてポリ硫酸ペントサンナトリウムの硫黄含量を測定した。
＜抗Ｘａ活性の測定＞
テストチーム（登録商標）ヘパリンＳ（積水メディカル社製）を使用してポリ硫酸ペントサンナトリウムの抗Ｘａ活性を測定した。
＜抗ＩＩａ活性の測定＞
Ｂｉｏｐｈｅｎ  ｈｅｐａｒｉｎ  ａｎｔｉ−ＩＩａ（Ｈｙｐｈｅｎ  Ｂｉｏｍｅｄ社製）を使用してポリ硫酸ペントサンナトリウムの抗ＩＩａ活性を測定した。【００９１】
【表１】
2018043668.tif 000004
【００９２】
表１中の抗ＩＩａ活性及び抗Ｘａ活性はグラフにおいても示した（図１）。
表１及び図１に示す結果から分るように、実施例の製造方法で得られた低アセチル基含量のポリ硫酸ペントサンナトリウムは、好ましい抗Ｘａ／抗ＩＩａ活性比を示すとともに抗Ｘａ活性が比較例よりも高い。【００９３】
比較例１及び実施例５の条件での、酸性キシロオリゴ糖粉末からポリ硫酸ペントサンナトリウム粉末を得る際の収率は、それぞれ表２に示すとおりであった。【００９４】
【表２】
2018043668.tif 000005
【００９５】
表１及び表２に示す結果から分るように、本発明の製造方法によって、好ましい抗Ｘａ／抗ＩＩａ活性比を示すとともに抗Ｘａ活性が十分に高いポリ硫酸ペントサンナトリウムを高収率で得ることができる。
【図１】
2018043668.tif 000006
【図２】
2018043668.tif 000007
【図３】
2018043668.tif 000008
【国際調査報告】
2018043668.tif 000009
2018043668.tif 000010
2018043668.tif 000011
2018043668.tif 000012
2018043668.tif 000013
2018043668.tif 000014